(57)【特許請求の範囲】
【請求項１】
長手方向接続手段（６０）によりボール（８０）上の接続手段（９０）に接続されるように構成された認知訓練ハンドル（１０）であって、前記長手方向接続手段（６０）の長さを調整するための手段（２０）をさらに備え、前記調整手段（２０）が、少なくとも２つの側壁（２２、２３）を含み、前記少なくとも２つの側壁（２２、２３）が、接合ゾーン（２４）によって互いに接続され、且つ、保持領域（２５）を画定するために、また、前記調整手段（２０）の前記２つの側壁（２２、２３）の間に前記接続手段（６０）が導入されたときにそれを保持するために、少なくとも前記長手方向接続手段の直径よりも小さい第１の寸法により少なくとも周期的に互いに離間されており、
前記認知訓練ハンドル（１０）は、少なくとも２つのケース部品で画定された外側ケース（５０）を備え、前記ケースが、前記調整手段（２０）を少なくとも部分的に収容するように構成され、且つ、前記少なくとも２つのケース部品が互いに接続されたときに前記接続手段（６０）のための出口オリフィス（５２）を有しており、
少なくとも１つのケース部品が、周辺溝の開放キャビティー（５３）を形成し、前記キャビティー（５３）が、前記接続手段を調整される形（６０）で受け入れるように構成されることを特徴とする、ハンドル（１０）。
【請求項２】
複数の保持領域（２５）を含むことを特徴とする、請求項１に記載のハンドル（１０）。
【請求項３】
前記側壁（２２、２３）が、前記接続手段のための通路領域（２５ａ）を画定するために、少なくとも前記長手方向接続手段（６０）の前記直径よりも大きい第２の寸法により、少なくとも周期的に互いに離間されることを特徴とする、請求項１又は２に記載のハンドル（１０）。
【請求項４】
前記接合ゾーン（２４）が、前記接続手段（６０）のために、前記少なくとも１つの保持領域（２５）に向かう侵入経路（３０）を画定することを特徴とする、請求項１から３までのいずれか一項に記載のハンドル（１０）。
【請求項５】
前記接続手段（６０）を案内方向（４１）に案内するように構成された案内手段（４０）をさらに備え、前記案内手段（４０）が、９０度から１５０度の間の角度αで前記調整手段（２０）から延在することを特徴とする、請求項１から４までのいずれか一項に記載のハンドル（１０）。
【請求項６】
前記案内手段（４０）が、案内壁、管、又は溝を含み得ることを特徴とする、請求項５に記載のハンドル（１０）。
【請求項７】
−  請求項１から６までのいずれか一項に記載のハンドル（１０）と、
−  接続手段（９０）を備えるボール（８０）と、
−  前記ハンドル（１０）を前記ボール（８０）の前記接続手段（９０）に接続する又は接続しているように構成された接続手段（６０）と
を含む、認知訓練デバイス（７０）。
【請求項８】
前記ボール（８０）の前記接続手段（９０）が、
−  ボール壁を貫通するオリフィスと、
−  前記ボールの内側に配置される第１の接続部品（９２）と、
−  前記ボールの外側に配置される第２の接続部品（９３）と
を含み、前記第１の接続部品（９２）が、第１のオス型接続要素（９４）が突出する前面（９２ａ）を有し、前記第１のオス型接続要素（９４）が、前記オリフィス（９１）を貫通し、且つ、前記第２の接続部品（９３）によってもたらされ前記接続手段（６０）に接続されるように構成された第２のメス型接続要素（９３）に嵌合され、前記第１の接続要素の前記前面（９２ａ）が、前記ボールの内側壁部分（８１）と接触し、前記第２の接続要素（９３）の背面（９３ａ）が、前記ボールの外側壁（８２）部分と接触するように構成され、それにより前記ボール（８０）と前記接続手段（６０）との間に気密の接続を形成することを特徴とする、請求項７に記載のデバイス（７０）。
【請求項９】
前記接続手段（６０）が、ケーブル、又は鎖、又はひもであることを特徴とする、請求項７又は８に記載のデバイス（７０）。
【発明の詳細な説明】
【技術分野】
【０００１】
本発明は、長手方向接続手段によりボール上の接続手段に接続されるように構成された認知訓練ハンドルに関し、前述のハンドルは、前述の長手方向接続手段の長さを調整するための手段をさらに備える。
【背景技術】
【０００２】
そのようなハンドルは、接続手段を備える認知訓練デバイスの一部分であり、接続手段は一般に、ボールを前述のハンドルに接続するひもである。このデバイスは、主としてスポーツ分野、特にサッカーで使用されるが、リハビリテーション目的のために、又は、精神運動教育法（ｐｓｙｃｈｏｍｏｔｏｒ  ｅｄｕｃａｔｉｏｎａｌ  ｍｅｔｈｏｄ）のための支援としても使用され得る。ユーザは、ボールさばきの修正及び訓練を希望するプロのサッカー競技者、及び、治療すべき精神運動性の欠陥を有する人物のどちらであってもよく、又は、身体の組織化の向上を望む人物であってもよい。そのようなハンドルは、文献米国特許出願第２０９／０７５７６３号及びＥＰ０，８２１，９８３で知られている。
【０００３】
サッカー型の訓練法の実例を挙げると、ユーザ、即ちサッカー競技者は、特定の訓練プログラムに従って様々な訓練状況においてボールさばきを改善するために、片方の手で前述のハンドルを握り、片方の足でボールを蹴る。
【０００４】
各ユーザに対して、ボールの底部が地面から３又は４センチメートルのところに位置したときにハンドルがユーザの大腿骨頭の高さ（腰の高さ）に位置するように、ひもの長さが調整されなければならない。
【０００５】
訓練デバイスを使用した反復操作により、競技者は、各ゲーム状況に対して最良のプレー・ソリューションを提供するために適切な位置にその身体を置くことを本能的に（反射的に、即ち、プレーの様相を分析するのに要する時間を可能な限り短くして）行うことができるように、特定のボールさばきを要求する特定のゲーム状況が関連付けられた足及び身体の他の部分の動きを、神経レベルで明確に吸収することが可能になる。
【０００６】
残念なことに、現在存在するハンドルは、ひもの長さを容易且つ正確に合わせることを可能としない。さらに、ボールの動きが最小の軌道変動（ｔｒａｊｅｃｔｏｒｙ  ｆｌｕｃｔｕａｔｉｏｎ）を有する場合、ひもに対する最小の衝撃は、ハンドル及びボールに向かって大きく増幅されて制御し難くなり、するとユーザは、訓練デバイスの便益の全てを失う。ユーザは、不規則な動きを制御して、特定の訓練プログラムを再開しなければならない。
【先行技術文献】
【特許文献】
【０００７】
【特許文献１】米国特許出願第２０９／０７５７６３号
【特許文献２】ＥＰ０，８２１，９８３
【発明の概要】
【課題を解決するための手段】
【０００８】
本発明によるハンドルは、前述の調整手段が、少なくとも２つの側壁を含み、少なくとも２つの側壁が、接合ゾーンによって互いに接続され、且つ、保持領域を画定するために、また、前述の調整手段の２つの側壁の間に前述の接続手段が導入されたときにそれを保持するために、少なくとも前述の長手方向接続手段の直径よりも小さい第１の寸法により少なくとも周期的に互いに離間されていることを特徴とする。
【０００９】
このようにして、前述の接続手段の第１の部分が、前記調整手段により調整される形で挟まれ、一方で接続手段の第２の自由部分が、前述のボールの接続手段に接続された第１の端部によって接続される。したがって、接続手段は、訓練デバイスの使用中に調整手段から分離され得ないように調整手段を介してハンドルに接続される、第１の部分を有する。
【００１０】
１つの特定の実施例では、本発明によるハンドルは、複数の保持領域を含むことを特徴とする。
【００１１】
場合により、２つの側壁は、前述の接合ゾーンによって互いに接続され、接合ゾーンはさらに、前述の接続手段のために、前述の少なくとも１つの保持領域に向かう侵入経路を画定する。
【００１２】
或いは、側壁は、前述の接続手段のための通路領域を画定するために、少なくとも前述の長手方向接続手段の前述の直径よりも大きい第２の寸法により、少なくとも周期的に互いに離間される。
【００１３】
このようにして、ハンドルを使用したい競技者は、ひも（即ち、接続手段）が自由に入り込むことができる通路領域を通じて２つの側壁の間にひもを導入して、運動に応じて所望の値にひもの長さを調整し、次いで、側壁がひもの直径よりも小さい距離によって離間されている保持領域に、ひもを挟む。ボールをハンドルから分離する距離によって画定されたひもの長さを長く又は短くしたいとユーザが願う場合、ユーザは、単にひもを保持領域から外して、そのひもを前述の通路領域に通せばよい。
【００１４】
接合ゾーン上の侵入経路の存在は、接続手段を調整手段の保持領域の方に向けることを可能にし、また、その領域での接続手段の配置を容易にすることを可能にする。
【００１５】
ハンドルはまた、少なくとも２つのケース部品で画定された外側ケースを含み、ケースは、少なくとも部分的に前述の調整手段を収容するように構成され、且つ、前述の少なくとも２つのケース部品が互いに接続されたときに接続手段のための出口オリフィスを有することが、好ましい。
【００１６】
ケースの出口オリフィスの存在は、前述の接続手段のボールに接続される第２の自由部分の反対側の第３の自由部分を、調整手段の保持領域の外側に向けることを可能にする。この第３の自由部分は、前述の接続手段の長さの調整中にユーザが都合の良いときに前述の接続手段を調整手段の保持領域に出し入れするために握りしめることができる、接続手段のための把持手段を与える。
【００１７】
有利には、少なくとも１つのケース部品が、溝の開放キャビティーを形成し、前述のキャビティーは、前述の接続手段を調整される形で受け入れるように構成される。
【００１８】
このようにして、第３の自由部分は、ハンドルの溝に一時的に収容されることができ、ユーザによるより快適なハンドルの把持を可能にする。
【００１９】
本発明の特に有利な１つの実施例では、ハンドルは、前述の接続手段を案内方向に案内するように構成された案内手段をさらに備え、前述の案内手段は、９０度から１５０度の間、好ましくは１１０度から１４０度の間の角度で前述の調整手段から延在する。具体的には、案内手段は、案内壁、又は管、又は溝を含むことができる。
【００２０】
案内手段の存在は、前述の調整手段での接続手段の移動が促進されるように、具体的には、ボールが重い場合に所望の長さへの長さの調整がハンドルの前述の調整手段を介して行われるように、接続手段を前述の調整手段の前述の保持領域に向かって案内方向に案内することを可能にする。
【００２１】
本発明によるハンドルの他の実施例は、添付の特許請求の範囲において述べられる。
【００２２】
本発明はまた、
−  本発明によるハンドルと、
−  接続手段を備えるボールと、
−  ハンドルを前述のボールの前述の接続手段に接続する又は接続しているように構成された接続手段とを含む、認知訓練デバイスに関する。
【００２３】
前述の接続手段は、ケーブル、鎖、又はひもであることが好ましい。
【００２４】
具体的には、ボールの前述の接続手段は、
−  ボール壁を貫通するオリフィスと、
−  前述のボールの内側に配置される第１の接続部品と、
−  前述のボールの外側に配置される第２の接続部品と
を含み、前述の第１の接続部品は、第１のオス型接続要素が突出する前面を有し、前述の第１のオス型接続要素は、前述のオリフィスを貫通し、且つ、第２の接続部品によって与えられ前述の接続要素に接続されるように構成された第２のメス型接続要素に嵌合され、前述の第１の接続要素の前述の前面は、ボールの内側壁部分と接触し、前述の接続要素の背面は、ボールの外側壁部分と接触するように構成されており、それにより前述のボールと前述の接続手段との間に気密の接続を形成する。
【００２５】
本発明によるデバイスの他の実施例は、添付の特許請求の範囲において述べられる。
【００２６】
本発明の他の特徴、詳細、及び利点は、非限定的に提示された以下の説明から、また、添付の図面を参照することから明らかになるであろう。
【図面の簡単な説明】
【００２７】
【図１】本発明によるハンドルの１つの好ましい実施例の分解斜視図である。
【図２ａ】図１に示された１つの好ましい実施例の他の斜視図である。
【図２ｂ】図１に示された１つの好ましい実施例の他の斜視図である。
【図２ｃ】図１に示された１つの好ましい実施例の他の斜視図である。
【図２ｄ】図２ａから２ｃのハンドルの長手方向断面Ｉ−Ｉの図である。
【図３】本発明によるデバイスの斜視図である。
【図４ａ】ボールの接続手段の第１の斜視図である。
【図４ｂ】ボールの接続手段の第２の縦断面図である。
【発明を実施するための形態】
【００２８】
図面において、同一の又は類似の要素は、同様の参照番号を有する。
【００２９】
図１は、長手方向接続手段の長さを調整するための調整手段２０を含む、本発明によるハンドル１０の１つの好ましい実施例の分解斜視図であり、長手方向接続手段は、ボールをハンドル１０に接続するように構成されている。
【００３０】
調整手段は、クランプ２１を形成する２つの側壁２２、２３を備え、これらの壁は、接合ゾーン２４によって互いに接続されている。具体的には、各側壁は、第１の接続端部２００、２０１、及び第２の自由端部２０２、２０３を備え、各側壁２２、２３の各接続端部は、前述の結合手段２４によって互いに接続されており、接続端部２００、２０１はさらに、前述の側壁２２、２３の間に位置する保持領域２５に向かって接続手段６０のための入口通路３０を画定し、接続手段は、調整手段２０内に保持される。さらに、調整手段の自由端部は、接続手段６０の出口通路３１を画定する。
【００３１】
調整手段２０の２つの側壁２２、２３の間の幅ｄを有する周期的な間隔によって画定された保持領域２５に接続手段が挿入されたときに接続手段を保持するように、壁２２、２３は、距離ｄにより少なくとも周期的に互いに離間され、長手方向接続手段６０は、少なくとも各壁を分離する距離ｄに等しい直径又は断面幅を特徴とする断面を有する。
【００３２】
図１に示されたようなハンドルの実施例では、少なくとも１つの壁２２、２３が、複数の保持領域を含む。具体的には、各側壁は、前述の接続手段が前述の領域２５のうちの少なくとも１つに保持されるときにその外側表面と接触するように構成された、内側表面を有する。
【００３３】
各壁の内側表面は、対面することが好ましい。具体的には、少なくとも１つの内側表面が、少なくとも１つのピーク２６を備え、また場合により少なくとも１つのくぼみ２７を備える。図１の実施例では、側壁の少なくとも１つの内側表面が、少なくとも１つのピークを備え、また場合により１つのくぼみを備え、又は、複数の交互するピーク及びくぼみを備え、それ故、調整手段２０は、第１の側壁２２の各ピーク端２６１と第１の側壁の向かい側の第２の側壁２３の内側表面との間に形成された複数の保持領域２５、及び、第１の側壁２２の各くぼみ２７と少なくとも接続手段６０の直径よりも大きい距離ｄ’によって分離された第１の側壁の向かい側の第２の側壁２３の内側表面又はくぼみとの間に形成された少なくとも１つの通路領域を有する。この特定の実施例では、調整手段は、側壁２２、２３の間に画定された、一連の交互する保持領域及び通路領域２５ａを備える。
【００３４】
さらに、各保持領域はまた、各壁の２つのピークの間、又は、一方の壁のピークとその向かい側のもう一方の壁のくぼみとの間に形成され得る。
【００３５】
具体的には、各側壁は、接続手段６０が少なくとも１つの保持領域内に収容されたときに各側壁の各内側表面が接続手段６０の外側表面上に把握される第１の状態に相当する、第１の保持位置と、前述の第２の接続手段が側壁間で例えば通路領域２５ａ内で自由に動くことができる第２の状態に相当する、第２の自由位置との間で移動するように構成される。
【００３６】
前述の接続手段の第１の部分が前述の調整手段２０の保持領域２５内に調整される形で挟まれると、接続手段の第２の部分が、ボールの前述の接続手段に接続された第１の端部によって接続される。したがって、接続手段は、訓練デバイスの使用中に調整手段から分離され得ないように調整手段に十分に挟まれる第１の保持部分と、ボールの動きをもたらす継手と、ボールをハンドルに接続する接続手段の第２の自由部分とを有する。
【００３７】
調整手段の各壁２２、２３の接続される端部の接合ゾーン２４は、各側壁から保持領域の方に向けられ且つ保持領域２５において接続手段の外側表面上に壁の内側表面をとらえるようになされた押圧力を各壁の内側表面上に生成するように、各壁に作用する弾性力を生成するように構成される。
【００３８】
これに関連して、接合ゾーンは、調整手段の保持領域における接続手段の保持を確実にするのに十分な強度を有する弾性力を生成することを可能にするような曲線半径を有する。
【００３９】
調整手段の接合ゾーン及び側壁は、プラスチック材料から作られることが好ましい。
【００４０】
このようにして、各壁の内側表面は、保持領域において、接続手段の外側表面に作用する第１の押圧力をもたらし、また、接続手段に印加された押圧力に反応して、各側壁は、接続手段によってもたらされる、同じ方向であるが反対方向の第２の反力を受ける。
【００４１】
このような関係において、接続手段は、接続手段と各側壁の各内側表面との間に生成された圧力と反力との釣合いにより、保持領域内に維持される。
【００４２】
場合により、調整手段２０は、互いに好ましくは取り外し可能に接続されるように構成された少なくとも２つの独立した部品の組立体である。例えば、調整手段の第１の独立した部品は第１の側壁とされ、調整手段の第２の独立した部品は第２の側壁とされ、各側壁は、調整手段の第３の部品をもたらす接合ゾーン２４を画定する接合手段によって互いに接続されるように構成され得る。
【００４３】
図１に示されるように、ハンドルは、接続手段６０を案内方向４１に案内するように構成された案内手段４０をさらに含み、案内手段は、９０度から１５０度の間、好ましくは１１０度から１４０度の間の角度αで調整手段から延在する。
【００４４】
具体的には、案内手段４０は、接続手段が案内方向４１に沿って移動するときに管の内側表面の少なくとも一部分が接続手段の外側表面と接触するように配置されるように、その中に接続手段が挿入されるように配置される、管である。
【００４５】
管は、接続手段のための第１の入口オリフィス４２、及び、接続手段のための第２の出口オリフィス４３を有し、第２の出口オリフィスは、好ましくは、前述の側壁間に配置された保持領域２５へのアクセスを提供する接続手段６０の入口通路３０と一致する。
【００４６】
この管はさらに、ハンドルのエルゴノミクスを向上させるために、案内方向が側壁２２、２３における中央水平面に対するベクトル・セカント（ｖｅｃｔｏｒ  ｓｅｃａｎｔ）であるように配向され、方向は、中央平面と９０度から１５０度の間、好ましくは１１０度から１４０度の間の角度αを形成する。
【００４７】
案内手段は、互いに好ましくは取り外し可能に接続されるように構成された少なくとも２つの案内手段部品の組立体であることが好ましい。
【００４８】
具体的には、図１によって示されるように、管４０は、第１の管部品４０ａ、及び第２の管部品４０ｂを含み、管部品のそれぞれは、側壁２２、２３に接続される。管部品は、例えば溶接による接合線によって互いに接続されると、調整手段２０の側壁２２、２３の対によって拡張される案内手段を形成する。案内手段の部品４０ａと４０ｂとの間の接合線を補強するために、リング４４が管上に嵌められ得ることが好ましい。
【００４９】
図２ａ及び２ｂに示されるように、ハンドルは、調整手段２０及び／又は前述の案内手段４０が少なくとも部分的にその中に収容される外側ケース５０をさらに備え、ケースは、接続手段６０の出口通路３１と一致するように配置された接続手段６０の出口オリフィス５２が横断するエンクロージャ５１を有し、エンクロージャ５１は、開放キャビティーの壁を画定する内側壁５３ａを有する周辺溝５３によって開放されたキャビティーを有し、キャビティーは、例えばひもであり得る接続手段を調整される形で受け入れるように構成されている。
【００５０】
或いは、接続手段６０の端部６２は、少なくとも溝５３の幅Ｌに等しいか好ましくはそれよりも大きい直径を有する、可撓性材料から（例えば、ゴムから）作られた端部片６２ａに接続される。このようにして、端部片の弾力性により、端部片は、単純に押し付けること（図２ｃ）により、調整される形で溝５３の開放キャビティー内に収容されることができ、また、単純に引っ張ることによりそこから取り外されることができる。したがって、前述の端部片に印加される圧力を受けて、端部片の材料により弾性力が生成されて溝キャビティー５３の内側壁に作用し、それ故、端部片したがって接続手段が、押圧力と反力との均衡によって維持されるので、周辺溝キャビティー５３内での調整された接続手段６０の維持が確実とされる。
【００５１】
場合により、ケースは、互いに好ましくは取り外し可能に接続されるように構成された少なくとも２つのケース部品を含み、また、前述の少なくとも２つのケース部品が互いに接続されたときに、ケースは、接続手段６０の出口通路３１と連通する接続手段の出口オリフィス５２を有する。
【００５２】
ケースは、ユーザの親指を収める場所となる凹部５４をさらに含むことが好ましい。
【００５３】
図３は、
−  ハンドル１０と、
−  接続手段９０を備えるボール８０と、
−  ハンドルをボール８０の接続手段９０に接続するように構成された接続手段６０と
を含む、本発明によるデバイス７０の１つの特定の実施例の斜視図である。
【００５４】
接続手段は、ハンドルをボールの接続手段に接続することが好ましい。
【００５５】
具体的には、ボール８０の接続手段９０は、
−  ボール８０の壁を貫通するオリフィス９１と、
−  ボールの内側に配置される第１の接続部品９２（図４ａ及び４ｂ）と、
−  ボールの外側に配置される第２の接続部品９２と
を含む。
【００５６】
第１の接続部品９２は、第１のオス型接続要素９４が突出する前面９２ａを有する。この第１のオス型接続要素９４は、ボールの壁８０のオリフィス９１を貫通するように構成される。第１のオス型接続要素９４はさらに、第２の接続部品によって与えられ且つひも６０の第１の接続端部６１に接続されるように構成された第２のメス型接続要素９３に嵌合するように構成され、第１の接続手段９２の前面９２ａは、ボールの内側壁部分８１と接触するように構成されており、第２の接続要素９３の背面９３ａが、ボールの外側壁部分８２と接触するように構成され、それにより、ボールの壁８０とひもとの間に気密の接続を形成する。
【００５７】
本発明によるデバイスの使用中、図２ａから２ｃに示されるように、デバイスの操作は以下のステップに従う：
−  ユーザはまず、第１の手でハンドル１０を握り、他方の手でひも６０の一部分又はひもの自由端部６２を握る；
−  次いで、ひも６０は、その自由端部６２により案内管４０内に貫入され、案内管４０を横断し、次いで案内手段の入口通路３１を横断して、調整手段の通路領域２５ａに入り込む。この構成において、ひも６０は、例えば各側壁上にそれぞれ位置する２つのくぼみ２７の間の通過領域内に配置され且つ例えば２つのピーク２６の間の調整手段２０の少なくとも１つの保持領域２５内に収容されるように構成された、第１の部分６０ａと、ハンドル１０をボール８０に接続する第２の自由部分６０ｂとを有する；
−  次いでユーザは、保持領域２５に向けてひも６０の第１の部分６０ａに押す力を加えることにより、ひも６０の第１の部分６０ａを調整手段２０の２つの側壁２２、２３の間に配置し（図２ａ及び２ｂ）、調整手段２０の出口通路３１及びケースの出口オリフィス５２を通し、それにより、第１のひも部分６０ａは、調整される形で調整手段内に保持される。ひもの第２の自由部分６０ｂの長さの所望の調整に基づいて、ひもは、第２の自由ひも部分６０ｂの反対側の第３の自由ひも部分６０ｃを有することもあればそうでないこともある（図２ｄ）。これに関連して、ひも６０の第３の自由部分６０ｃの長さは、調整手段２０の入口通路３０と出口通路３１とを分離する距離、及び、ひも６０の長さに依存する；
−  ユーザは最後に、潜在的な第３の自由ひも部分６０ｃを一時的にハンドルの溝内に取り外し可能に収容することができ、したがって、ハンドルの把持をより快適にすることができる（図２ｃ）。この第３の自由ひも部分６０ｃは、ひも６０の第２の自由部分６０ａの長さの調整中にユーザが都合の良いときにひも６０を調整手段２０の保持領域２５に出し入れするために握ることができる接続手段６０の把持手段を与えることが、留意されるべきである。
【００５８】
ユーザは、把持手段にかかる又はひもの自由端部６２にかかる押す力の方向とは反対の方向に単純に引っ張ることにより、ひもの第１の部分６０ａを保持領域２５から隣接する通路領域に移動させ、そして案内方向４１に沿ってひもを引っ張るか又はひもがボールの重量の影響下で移動するのを許すことにより、もう一度第２の自由部分の長さを調整して、次いでひもを再度調整手段内に収容することを、繰返し行うことができる。
【００５９】
本発明は決して上述の実施例に限定されるものではないこと、及び、添付の特許請求の範囲に記載の範囲を越えることなく本発明に変更がなされ得ることが、明確に理解される。
【図１】
0006480448.tif 000002
【図２ａ】
0006480448.tif 000003
【図２ｂ】
0006480448.tif 000004
【図２ｃ】
0006480448.tif 000005
【図２ｄ】
0006480448.tif 000006
【図３】
0006480448.tif 000007
【図４ａ】
0006480448.tif 000008
【図４ｂ】
0006480448.tif 000009